(57)【要約】【課題】  開閉操作性が優れているとともに障子の着脱が容易である３連式引戸を備えた開口部装置を提供する。【解決手段】  建物開口部の４辺に沿って取り付けられた枠体と、該枠体内に配置された３枚の障子を具備する３連式引戸と、を有する開口部装置であって、３枚の障子のうち室内外方向中央に配置された障子に設けられた連動機構と、連動機構に取り付けられ、連動機構により障子の移動方向に平行で互いに反対である向きに同時に移動可能な一対の連動部材と、中央に配置された障子の室内側及び室外側に設けられた２枚の障子のそれぞれに取り付けられた被連動部材被連動部材とを備え、一対の連動部材と被連動部材とが磁力で連結することにより、３枚の障子のうちのいずれか１枚の障子を移動させると、他の障子の少なくとも１枚が連動して移動することを特徴とする。【選択図】      図５
2006312817.tif 000002
【特許請求の範囲】
【請求項１】
建物開口部の４辺に沿って取り付けられた枠体と、該枠体内に配置された３枚の障子を具備する３連式引戸と、を有する開口部装置であって、
前記３枚の障子のうち室内外方向中央に配置された障子に設けられた連動機構と、
前記連動機構に取り付けられ、前記連動機構により前記障子の移動方向に平行で互いに反対である向きに同時に移動可能な一対の連動部材と、
前記中央に配置された障子の室内側及び室外側に設けられた２枚の障子のそれぞれに取り付けられた被連動部材と、を備え、
前記一対の連動部材と前記被連動部材とが磁力で連結することにより、前記３枚の障子のうちのいずれか１枚の障子を移動させると、他の障子の少なくとも１枚が連動して移動することを特徴とする開口部装置。
【請求項２】
前記連動機構が、
前記中央に配置された障子の上部の幅方向両端部分に備えられた一対のプーリと、
前記一対のプーリに掛け渡されて取り付けられた環状の線材と、を備えるとともに、
前記一対の連動部材が、
前記線材のいずれかの部位に取り付けられた第１連動部材と、
前記線材の他の部位に取り付けられた第２連動部材と、であることを特徴とする請求項１に記載の開口部装置。
【請求項３】
前記一対の連動部材が磁石又は磁力により吸着可能な部材を備えるとともに、
前記被連動部材が磁石又は磁力により吸着可能な部材を備えることにより、
前記一対の連動部材と前記被連動部材とが磁力によって連結することを特徴とする請求項１又は２のいずれか一項に記載の開口部装置。
【発明の詳細な説明】
【技術分野】
【０００１】
本発明は、住宅、公共施設や店舗等の建物の開口部に備えられる３連式引戸を有する開口部装置に関し、詳しくは、３連式引戸の障子に良好な操作性を備えるとともに該障子の開口部装置からの着脱も容易であるという３連式引戸を有する開口部装置に関する。
【背景技術】
【０００２】
建物の開口部に備えられる引戸式の開口部装置は、２枚の障子で構成されているものが少なくない。このように２枚の障子から構成されている引戸の場合、その構造により、障子を開放した際に通過に利用できる開口の幅は最大でも開口部の略半分である。
【０００３】
一方、建物の開口部に備えられる引戸式の開口部装置が、３枚の障子を有しており、開口部装置を開放したときに該３枚の障子が建物開口部の端部に室内外方向に重なって配置される、いわゆる３連式引戸であれば、開口部装置を開放したときに、最大で開口部の２／３の開口幅を確保することができる。このことは例えば車椅子の通行や大きな荷物の搬出入に関して非常に便利であるとともに、障子を開放したときの開放感や通行の際の快適性等、居住性に関しても好ましいことである。
【０００４】
かかる状況から、３連式引戸の需要は多くなってきている。ところが従来において、３連式引戸の場合、開閉の際に３枚の障子のうち２枚の障子を手動で移動させる必要があり、使用者は２枚の障子を個々に移動しなければならず、使用者に煩雑な感覚を与えていた。このような煩雑さを解消するために、３枚の障子のうちの１枚の障子を開閉操作することにより、他の障子も連動して開閉することができる３連式引戸が特許文献１に開示されている。
【０００５】
特許文献１に記載の３連式引戸によれば、３枚の戸（障子）のうちの中央の戸（障子）に連動装置を取り付け、該連動装置に備えられた２つの突起のそれぞれを他の戸（障子）に設けた凹部に差し込むことにより、連動して２枚の戸（障子）の開閉を可能にしている。
【特許文献１】特開平１０−６１３２２号公報
【発明の開示】
【発明が解決しようとする課題】
【０００６】
しかし、特許文献１に記載の３連式引戸においては、戸（障子）を開口部から取り外した後、再び戸（障子）を取り付けようとした場合に、連動装置の突起と他の戸（障子）の凹部とを合わせるような位置で取り付けなければならないという問題があった。このことは、「障子の着脱容易性」という引戸が有する他の開口部装置には見られない利点を低減させてしまう虞がある。引戸における障子の着脱は、荷物の搬入のためや開放した空間の確保のため等において、その機会が少なくないので、引戸の着脱容易性を確保することは使用者の利便性を大きく向上させることになる。
【０００７】
そこで、本発明は、開閉操作性が優れているとともに障子の着脱が容易である３連式引戸を備えた開口部装置を提供することを課題とする。
【課題を解決するための手段】
【０００８】
本発明者らは、鋭意検討した結果、２枚の障子を連動させて開閉することができるとともに障子の着脱容易性を確保することが可能な３連式引戸を備えた開口部装置を開発した。以下、本発明について説明する。なお、本発明の理解を容易にするために添付図面の参照符号を括弧書きにて付記するが、それにより本発明が図示の形態に限定されるものではない。
【０００９】
請求項１の発明は、建物開口部の４辺に沿って取り付けられた枠体（１０１、１０２、１０３、１０４）と、該枠体内に配置された３枚の障子（１１０、１３０、１５０）を具備する３連式引戸と、を有する開口部装置（１００）であって、３枚の障子のうち室内外方向中央に配置された障子（１３０）に設けられた連動機構（１４０）と、連動機構に取り付けられ、連動機構により障子の移動方向に平行で互いに反対である向きに同時に移動可能な一対の連動部材（１４４、１４５）と、中央に配置された障子の室内側及び室外側に設けられた２枚の障子（１１０、１５０）のそれぞれに取り付けられた被連動部材（１１６、１５６）とを備え、一対の連動部材と被連動部材とが磁力で連結することにより、３枚の障子のうちのいずれか１枚の障子を移動させると、他の障子の少なくとも１枚が連動して移動することを特徴とする開口部装置を提供することにより前記課題を解決する。
【００１０】
請求項２の発明は、請求項１に記載の開口部装置は、連動機構（１４０）が、中央に配置された障子（１３０）の上部の幅方向両端部分に備えられた一対のプーリ（１４２、１４３）と、一対のプーリに掛け渡されて取り付けられた環状の線材（１４６）とを備えるとともに、一対の連動部材（１４４、１４５）が、線材のいずれかの部位に取り付けられた第１連動部材（１４４）と、線材の他の部位に取り付けられた第２連動部材（１４５）とであることを特徴とする。
【００１１】
請求項３の発明は、請求項１又は２に記載の発明は、一対の連動部材が磁石又は磁力により吸着可能な部材を備えるとともに、被連動部材が磁石又は磁力により吸着可能な部材を備えることにより、一対の連動部材と被連動部材とが磁力によって連結することを特徴とする。
【００１２】
本発明において、「連結」とは、接触、非接触を問わない。連動機構と被連動部材とが連動部材を介して、磁力により追随して移動可能である状態を総括して「連結」と記述する。
【発明の効果】
【００１３】
本発明によれば、３連式の引戸を備える開口部装置において、磁力で３枚の障子を連結させることにより、１枚の障子を開閉操作するのみで他の障子の操作をすることなく開閉可能となり、使用者の利便性を向上することができる。さらに、障子を開口部から取り外し、再び取り付ける際に、使用者は障子を連動させるための障子の取付け位置を意識する必要がない。よって、使用者は、障子をその障子の移動の軌道上におけるいずれの位置に取り付けても、容易に障子同士を連結させ、連動させることができる。これにより使用者の利便性を大きく向上することが可能となった。
【００１４】
本発明のこのような作用及び利得は、次に説明する発明を実施するための最良の形態から明らかにされる。
【発明を実施するための最良の形態】
【００１５】
以下本発明を図面に示す実施形態に基づき説明する。
【００１６】
図１は本発明の第一実施形態にかかる開口部装置１００が備えられる建物１０００の正面図である。開口部装置１００は玄関の開口部装置として建物１０００に備えられている。建物１０００は、２階建ての住宅であり、該住宅には開口部装置１００の他にも、窓として１階に開口部装置５００、２階には開口部装置６００、７００が備えられている。開口部装置１００は本実施形態では玄関に用いられているが、玄関への使用に限定されるものではなく、例えば窓に適用されても良い。また、屋内外を連通する開口部に用いられることに限定する必要もなく、例えば屋内において部屋と部屋とを連通する開口部に設けられても良い。以上のように本発明の開口部装置は、あらゆる開口部に適用することができる。また、適用される建物の種類も住宅に限定されず、公共施設、店舗、ビル等のあらゆる建物の開口部を対象とすることができる。
【００１７】
図２は、開口部装置１００を室外側から見た正面図である。開口部装置１００は、建物開口部の４辺に沿って備えられた枠体１０１、１０２、１０３、１０４と該枠体１０１、１０２、１０３、１０４の内側に配置された３枚の障子１１０、１３０、１５０とを備えている。３枚の障子１１０、１３０、１５０は、３枚で引戸を構成しており、略平行に配置されている。開口部装置１００を閉鎖した状態で室外側から見たときに、一番室内側で左側に配置される障子１１０は別称、内障子と呼ばれることもある。開口部装置１００では、障子１１０は固定されており、移動ができないようになっている。また、室外側から見たときに、中央に配置される障子１３０は別称で中障子、一番室外側で右側に配置される障子１５０は別称で外障子と呼ばれることもある。開口部装置１００では、通常は該障子１５０の開閉操作を行うことにより開口部装置１００の開閉を行う。
【００１８】
本発明の開口部装置における３枚の障子の配置は開口部装置１００のような位置関係にあることに限定されるものではない。例えば、一番左側を室外側に配置し、外障子として、一番右側の障子を内障子としてもよい。また、内障子は必ずしも移動ができないように固定されている必要はなく、移動可能としておき、場合によって内障子を開閉することとしても良い。
【００１９】
３枚の障子１１０、１３０、１５０は、それぞれパネル１１１、１３１、１５１と、該パネル１１１、１３１、１５１の４辺に取り付けられ、枠体１０１、１０２、１０３、１０４と接して配置される框１１２、１１３（図３参照）、１１４、１１５、１３２、１３３（図３参照）、１３４、１３５、１５２、１５３（図３参照）、１５４、１５５とを備えている。障子１３０、１５０の下部には、不図示の車輪が備えられ、枠体１０４に設けられた不図示のレールと合わせられ、障子１３０、１５０が移動可能となっている。また、障子１１０、１５０の上部には被連動部材（図３、図５参照）が備えられ、障子１３０の上部には連動機構１４０（図４参照）が備えられている。被連動部材１１６、１５６及び連動機構１４０の詳細は後で説明する。さらに、障子１５０には、把手１０５及び施錠装置１０６、１０６が備えられている。通常、使用者は該把手１０５により開閉操作を行い、開口部装置１００の施解錠を施錠装置１０６、１０６により行うことができる。
【００２０】
図３は、３枚の障子１１０、１３０、１５０を枠体１０１、１０２、１０３、１０４から取りはずして並べ、障子１１０、１３０、１５０の上部に注目して示した斜視図である。図３において紙面右上が室内側、紙面左下が室外側である。障子１１０の上部には室外側に被連動部材１１６が取り付けられている。被連動部材１１６は、室外側に障子１１０の移動方向と略平行な面を露出した磁石を備えている。該磁石の露出面が後述するように連動機構１４０（図４参照）に連動部材１４４を介して連結することにより被連動部材１１６は連動機構１４０と連結する。障子１３０は、その上部に連動機構１４０（図４参照）を備えている。連動機構１４０については後で詳しく説明するが、連動機構１４０には、第１連動部材１４４及び第２連動部材１４５が備えられ、該第１及び第２連動部材１４４、１４５は框１３４に設けられたスリット１３８、１３９（スリット１３９は図３では見えない。）に沿って移動することができるようになっている。また、障子１３０の上部には車輪１３６、１３７が取り付けられている。該車輪１３６、１３７は枠体１０３の内壁に接して配置され、障子１３０が円滑に開閉できることを助けている。
【００２１】
障子１５０の上部には、室内側に被連動部材１５６が取り付けられている。被連動部材１５６は、室内側に障子１５０の移動方向と略平行な面を露出した磁石を備えている。該磁石の露出面が、後述するように連動部材１４５を介して連動機構１４０（図４参照）に連結することにより被連動部材１５６は連動機構１４０と連結することができる。また、障子１５０の上部には車輪１５７、１５８が取り付けられている。該車輪１５７、１５８は枠体１０３の内壁に接して配置され、障子１５０が円滑に開閉できることを助けている。
【００２２】
図４は、連動機構１４０の斜視図である。図４では、紙面右上が室内側、紙面左下が室外側である。連動機構１４０は障子１３０の上部における框１３２、１３３、１３４の内側に備えられている。連動機構１４０は、基体１４１と、基体１４１の両端にその中心を軸として回動可能に取り付けられた一対のプーリ１４２、１４３と、該一対のプーリ１４２、１４３に掛け渡して取り付けられた環状の線材１４６を有している。線材１４６は見易さのため破線で示している（以後、同様に線材１４６は破線で示す。）。さらに、線材１４６のうち、室内側の部位１４６ａの一部には第１連動部材１４４、室外側の部位１４６ｂの一部には第２連動部材１４５が取り付けられている。連動機構１４０の長さ（プーリの間隔方向）は、障子１３０の上部の内側に隠蔽可能に入る大きさとなっている。第１連動部材１４４及び第２連動部材１４５は、それぞれ取付部材１４４ｂ、１４５ｂを備えており、該取付部材１４４ｂ、１４５ｂが線材１４６ａ、１４６ｂに固定されて取付けられている。そして取付部材１４４ｂ、１４５ｂに一面を接して、障子の移動方向に略平行な他の一面を露出するように磁石１４４ａ、１４５ａが配置される。従って、第１連動部材１４４の磁石１４４ａは室内側に１面を露出し、第２連動部材１４５の磁石１４５ａは室外側に１面を露出して配置される。また、磁石１４４ａ、１４５ａは框１３４に設けられたスリット１３８（図３参照）、１３９（不図示）を介して障子１３０の外側に突出している。
【００２３】
連動機構１４０によれば、線材１４６に障子の開閉方向の力が加わるとプーリが回動し、線材１４６及び線材に取り付けられた第１及び第２連動部材１４４、１４５も水平方向に移動することができる。第１及び第２連動部材１４４、１４５は、互いに反対の方向に移動する。このとき第１及び第２連動部材１４４、１４５は、スリット１３８（図３参照）、１３９（不図示）に沿った動きとなる。
【００２４】
次に、開口部装置１００の各構成部材の位置関係や連動の仕組み等を説明する。図５は、開口部装置１００を閉鎖した状態における上面図である。説明のため内部を適宜透視して示している。図５で紙面上が室内側、紙面下が室外側である。開口部装置１００の閉鎖の姿勢で、障子１１０と障子１３０と、及び障子１３０と障子１５０とは、互いにその幅方向端部が重なった状態で配置される。この重なった部分で障子１１０の被連動部材１１６と障子１３０の第１連動部材１４４とを対面して配置する。このとき、被連動部材１１６と第１連動部材１４４とは、障子１１０及び障子１３０から突出して配置されてはいるが、互いに移動の軌道上に存在せず、側面で衝突することはない。被連動部材１１６及び第１連動部材１４４は磁石の障子の移動方向に略平行な一面を露出して取り付けられているので、被連動部材１１６と第１連動部材１４４とは室内外方向に引き寄せる磁力によって連結した状態となる。一方、障子１３０及び障子１５０についても、端部の重なった部分で障子１５０の被連動部材１５６と障子１３０の第２連動部材１４５とを対面して配置する。この場合も被連動部材１５６と第２連動部材１４５とは、障子１５０及び障子１３０から突出して配置されてはいるが、互いに移動の軌道上に存在せず、側面で衝突することはない。これにより同様の理由で、被連動部材１５６と第２連動部材障子１４５とは室内外方向に引き寄せる磁力によって連結した状態となる。
【００２５】
図６は、図５の状態から障子１５０を操作し、開口部装置１００を開放するときの様子を示した開口部装置１００の上面図である。図６（ａ）は閉鎖状態、図６（ｂ）は途中まで開放した状態、図６（ｃ）は開放が完了した状態を示している。図６（ａ）の状態から、障子１５０を直線矢印で示した方向に移動すると、障子１５０に取り付けられた被連動部材１５６も障子１５０に追随して移動する。このとき被連動部材１５６と第２連動部材１４５とは前述の通り連結しているので、第２連動部材１４５も被連動部材１５６に追随して移動する。そして該移動に伴い、線材１４６の室外側部分が紙面左側へ移動し、これによって線材１４６の室内側部分が紙面右側へ移動する。さらに、線材１４６の室内側に取り付けられている第１連動部材１４４が線材１４６の移動に追随して移動する。しかし第１連動部材１４４は、障子１１０に取り付けられた被連動部材１１６に連結しているため、その位置を変えることができず、その代わりに障子１３０が紙面左側へ移動する。以上のような各部材の関係により障子１１０、１３０、１５０は連動して移動し、開口部装置１００においては、障子１５０を開閉することにより障子１３０も連動して移動することができる。このとき、連動機構１４０の性質により障子１５０の移動量と障子１３０の移動量との比は２：１の関係にあり、障子１３０と障子１５０とを略同一の幅にしておけば、障子１５０が開放完了の位置に達したとき、障子１３０もほぼ同時に開放完了の位置に達する。また、逆に図６（ｃ）の開放状態から開口部装置１００を閉鎖するためには、上述の移動を遡るような移動をすればよい。
【００２６】
次に障子１３０、１５０を取り外した後、再び取り付ける際の各部材の状態を示す。図７は障子１３０を取り付ける一場面を示す上面図である。開口部装置１００において、取り付け及び取り外しの操作はいわゆる「ケンドン式」によるものである。上述のように、開口部装置１００の障子１３０、１５０は、連結する部分を意識することなく取り付けることが可能である。図７（ａ）に示したように、障子１３０を障子１３０の移動の軌道上の任意の位置に取り付けることができる。被連動部材１１６と第１連動部材１４４とは互いに移動の軌道上にはないので、被連動部材１１６と第１連動部材１４４との衝突を意識する必要もない。従って、障子１３０は、障子１１０と離隔した位置に取り付けても、障子１１０に重ねる位置に取り付けても良い。一般的には、障子１１０と離隔した位置に取り付ける方が、作業者の利便性が良いので図７（ａ）では障子１１０と離隔した位置に取り付けた場合を示した。このとき、障子１１０の被連動部材１１６と障子１３０の第１連動部材１４４とは離れた位置にあるので連結していない。よって連動機構１４０も動かない。次に図７（ｂ）に示したような配置となるように、障子１３０を移動する。これにより被連動部材１１６と第１連動部材１４４とが磁力によりここではじめて連結し、障子１１０と障子１３０とが連動機構１４０を介して連動するようになる。
【００２７】
図８は、図７（ｂ）の状態からさらに障子１５０を取り付けるときの開口部装置１００の上面図である。図７（ｂ）の状態から障子１５０をその軌道上の任意の位置に取り付ける。このとき使用者は障子１５０を取り付ける位置を意識する必要がないので、位置調整のためにすでに取り付けた障子１３０の位置をずらすなどの操作をする必要がなく、障子１５０を取り付けることができる。このことは使用者にとって大きな利便性の向上となる。障子１５０を取り付けたあと、障子１５０を紙面右側に移動することにより、被連動部材１５６と第２連動部材１４５とが磁力により連結する。また、図９（ａ）に示したようにすでに取り付けた障子１３０を紙面一番左側に移動しておき、その後障子１５０を取り付けることとすれば、障子１５０を取り付ける際に重なる障子がなく、非常に操作性がよい。図９（ａ）のように障子１５０を取り付けた後は、障子１５０を紙面左側へ移動することにより、被連動部材１５６と第２連動部材１４５とを磁力によって連結することができる。
【００２８】
以上のように本発明の開口部装置１００においては、１つの障子を操作することにより他の障子も連動して移動することができる利便性を備えるとともに、取り付け位置を意識することなく障子を取り付けることができるので、使用者の利便性の向上をはかることができる。このことは、本来、引戸が他の開口部装置に比べて取り外しの機会が多いということからも非常に有用なことである。
【００２９】
図１０は、いずれかの理由により障子１５０を勢い良く閉鎖方向に移動させ、障子が閉鎖位置に到達する前に操作した手を障子１５０から離した際に、障子１５０の移動の軌道上に障害物８００があった場合の上面図である。この場合図１０（ａ）のように障害物８００があるとこのままでは障子１５０に加えられた力が衝突時に障害物８００に負荷され、障害物８００に大きな損害を与える虞がある。特に障害物８００が人の手等であった場合には、大きな怪我につながる可能性もあり、回避することが望まれる。また、障害物８００に損害を与えると共に、その衝撃は障子にも反作用として伝わり、障子の連結部等に破損が生じる虞がある。このような場合に、開口部装置１００であれば、被連動部材１１６、１５６と第１及び第２連動部材１４４、１４５との磁力による連結する力を適切にしておけば、図１０（ｂ）に示したように、異常な力に対し、例えば被連動部材１５６と第２連動部材１４５との連結が外れるようにすることができる。これにより障子１５０に加えられた力の全てが障害物８００や障子１１０、１３０、１５０に伝達されることを防ぐことができる。このように開口部装置１００は安全性にも優れた効果を有する。
【００３０】
図１１は、第二実施形態にかかる本発明の開口部装置２００の上面図である。図１１においても説明のため適宜部材を透視して示している。また、図１１の紙面上が室内側、紙面下が室外側である。開口部装置２００では、第１連動部材２４４及び第２連動部材２４５が障子２３０の内側に、被連動部材２１６が障子２１０の内側に、被連動部材２５６が障子２５０の内側に、それぞれ隠蔽され、外側からは認識できないように配置されている。このようにしても、第１連動部材２４４と被連動部材２１６と、及び第２連動部材２４５と被連動部材２５６とは磁力によって連結することができるので、第一実施形態にかかる開口部装置１００で説明したような操作、効果は全て可能である。このときの磁力による連結は、障子の框を介した磁力による連結となる。
【００３１】
開口部装置２００においては、連動機構２４０の全部が框の内側へ隠蔽されるので、開口部装置１００の框１３３に設けられたスリット１３８、１３９（図３参照）に相当するスリットを障子２３０の框に設ける必要がない。また、被連動部材２１６、２５６も框の内側へ隠蔽される。これにより、外観上非常にシンプルな印象を与えることができ、意匠の観点からも優れた開口部装置とすることができる。図１２に開口部装置２００の正面図を示した。図１２（ａ）は室外側から、図１２（ｂ）は室内側から見た図である。この図からもわかるように障子２１０、２３０、２５０の上部には被連動部材２１６、２５６やスリットが見えないので、開口部装置２００は、非常にシンプルな印象を与え、意匠的にも優れたものになる。また、図１１において障子２１０と障子２３０と、及び障子２３０と障子２５０との間隔を所定間隔に保持するようにしておけば、開閉に伴う障子同士の摩擦もなく障子表面に傷がつくこともない。
【００３２】
図１３は第三実施形態にかかる本発明の開口部装置３００の上面図である。開口部装置３００では、開口部装置２００（図１１参照）における被連動部材２１６、２５６に相当する被連動部材３１６、３５６が障子３１０、３５０の框の内側に隠蔽されていない。このような開口部装置３００にした場合においても開口部装置の通常の状態では、被連動部材３１６、３５６は、障子同士の重なりにより、外観視からは隠蔽されているので、開口部装置３００は、開口部装置２００と同様に非常にシンプルで意匠的に優れた開口部装置とすることができる。
【００３３】
図１４は、第四実施形態にかかる本発明の開口部装置４００の上面図である。図１４においても説明のため適宜部材を透視して示している。また図１４の紙面上が室内側、紙面下が室外側である。上述した開口部装置１００、２００、３００において示された被連動部材１１６、２１６、３１６と第１連動部材１４４、２４４、３４４との連結は、室内外方向に対向した磁石の面の室内外方向に引き寄せる磁力によるものであった。一方で、開口部装置４００では、室内外方向に直交した磁石の面による連結をする、被連動部材４１６及び第１連動部材４４４を備えている。障子４５０に備えられた被連動部材４５６と第２連動部材４４５との連結に関しても同様である。このような構成を有する開口部装置４００とすることにより、磁石の吸引力を有効に活用することができ、使用する磁石の選択の幅を広げることが可能となる。
【００３４】
以上の各実施形態で、被連動部材と第１連動部材と、及び被連動部材と第２連動部材との関係において、両者が共に磁石を備える場合を示したが、磁力による連結が成されれば良く、必ずしも共に磁石である必要はない。例えば第１連動部材及び第２連動部材がともに磁力によって吸着する金属等によって構成され、被連動部材のみに磁石を備えていても良い。また逆に、被連動部材が磁力によって吸着する金属等によって構成され、第１及び第２連動部材のみに磁石を備えていても良い。
【００３５】
また、各実施形態で使用される磁石の種類は特に限定されるものではなく、例えばネオジム磁石、フェライト磁石、アルニコ磁石、ＳｍＣｏ磁石、ラバー磁石、プラスチック磁石等が挙げられ、あらゆる種類の磁石を適用することができる。
【００３６】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００３７】
【図１】本発明の第一実施形態にかかる開口部装置が備えられる建物の正面図である。
【図２】第一実施形態にかかる開口部装置を室外側から見た正面図である。
【図３】第一実施形態にかかる開口部装置の３枚の障子を枠体から取りはずして並べ、障子の上部に注目して示した斜視図である。
【図４】第一実施形態にかかる開口部装置の連動機構の斜視図である。
【図５】開口部装置を閉鎖した状態における上面図である。
【図６】図５の状態から障子を操作し、開口部装置を開放するときの様子を示した開口部装置の上面図である。
【図７】障子を取り付ける一場面を示す上面図である。
【図８】図７（ｂ）の状態からさらに障子を取り付けるときの開口部装置の上面図である。
【図９】障子を取り付けるときの図８とは異なる場合を示した開口部装置の上面図である。
【図１０】いずれかの理由により障子を勢い良く閉鎖方向に移動させ、障子が閉鎖位置に到達する前に操作した手を障子から離した際に、障子の移動の軌道上に障害物があった場合の上面図である。
【図１１】第二実施形態にかかる本発明の開口部装置の上面図である。
【図１２】第二実施形態にかかる開口部装置の正面図である。
【図１３】第三実施形態にかかる本発明の開口部装置の上面図である。
【図１４】第四実施形態にかかる本発明の開口部装置の上面図である。
【符号の説明】
【００３８】
１００  開口部装置
１０１  枠体
１０２  枠体
１０３  枠体
１０４  枠体
１１０  障子
１１６  被連動部材
１３０  障子
１４０  連動機構
１４４  第１連動部材
１４５  第２連動部材
１５０  障子
１５６  被連動部材
１０００  建物
【図１】
2006312817.tif 000003
【図２】
2006312817.tif 000004
【図３】
2006312817.tif 000005
【図４】
2006312817.tif 000006
【図５】
2006312817.tif 000007
【図６】
2006312817.tif 000008
【図７】
2006312817.tif 000009
【図８】
2006312817.tif 000010
【図９】
2006312817.tif 000011
【図１０】
2006312817.tif 000012
【図１１】
2006312817.tif 000013
【図１２】
2006312817.tif 000014
【図１３】
2006312817.tif 000015
【図１４】
2006312817.tif 000016